(57)【要約】【課題】一方の表示パネルから映像を表示することができなくなっても、他方の表示パネルから表示できない映像も併せて表示することのできる表示装置を提供すること。【解決手段】走査線駆動回路１５２は、フロント表示パネル１５１からフロント用の映像を表示することができないと、正常に動作していないことを示す出力信号ｄ３を検出回路２５４に出力する。検出回路２５４は電源回路２５１の状態を監視し、電源が投入された状態で、正常に動作していない出力信号ｄ３を受けたとき、表示パネル１５１が表示不可であることを示す検出信号ｄ４を描画回路２５２に出力する。かかる検出信号ｄ４を受けた描画回路２５２はフロント表示パネル１５１に表示すべき映像信号をリア表示制御部２４の描画回路２４２に出力する。描画回路２４２は映像信号を合成してリア表示パネル１４１から合成された映像が表示される。【選択図】図３
2007108321.tif 000002
【特許請求の範囲】
【請求項１】
少なくとも第１及び第２の表示パネルを互いに重ね合わせ、前記第１の表示パネルから第１の映像を表示し，前記第２の表示パネルから第２の映像を表示して重畳映像を表示するようにした表示装置において、
前記第１の表示パネルから前記第１の映像を表示することができないとき、前記第２の表示パネルから前記第２の映像とともに前記第１の映像を表示させる表示制御手段、を備えることを特徴とする表示装置。
【請求項２】
前記表示制御手段は、前記第２の映像と前記第１の映像とを合成する合成手段を含み、
前記表示制御手段は、前記第１の表示パネルから前記第１の映像を表示することができないとき、前記合成手段から出力された映像を前記第２の表示パネルに表示させることを特徴とする請求項１記載の表示装置。
【請求項３】
前記表示制御手段は、前記重畳映像を前記第１の映像と前記第２の映像に分離する分離手段を含み、
前記表示制御手段は、前記第１の表示パネルから前記第１の映像を表示することができないとき、前記分離手段から前記第１の映像と前記第２の映像とに分離させずに前記重畳映像を出力させ、前記重畳映像を前記第２の表示パネルから表示させることを特徴とする請求項１記載の表示装置。
【請求項４】
前記表示制御手段は、前記第１及び第２の表示パネル各々に設けられ前記各表示パネルの走査線を駆動する走査線駆動回路の動作状態を検出する検出手段を含み、
前記表示制御手段は、前記検出手段により前記第１の表示パネルの前記走査線駆動回路が正常に動作していないことを検出したとき、前記第１の表示パネルは前記第１の映像を表示することができないと判断して前記第２の表示パネルから前記第２の映像とともに前記第１の映像を表示させることを特徴とする請求項１記載の表示装置。
【請求項５】
前記検出手段は、前記第１の表示パネルの前記走査線駆動回路に電源を供給する電源回路の動作状態も検出し、
前記表示制御手段は、前記検出手段により前記第１の表示パネルの前記走査線駆動回路が正常に動作していないことを検出し、かつ、前記電源回路が動作していることを検出したときに、前記第１の表示パネルは前記第１の映像を表示することができないと判断して前記第２の表示パネルから前記第２の映像とともに前記第１の映像を表示させることを特徴とする請求項４記載の表示装置。
【請求項６】
前記第１及び第２の表示パネルは各々液晶が封入された透明板から構成され、更に、前記透明板を照明するためのバックライトと、前記透明板に対する前記バックライトからの光の入出力を制御する偏光板とを備えることを特徴とする請求項１乃至５記載の表示装置。
【発明の詳細な説明】
【技術分野】
【０００１】
本発明は、少なくとも２組の表示パネルにより１映像を表示するようにした表示装置に関する。
【背景技術】
【０００２】
従来から、２組の液晶表示パネルにより画像表示を行う液晶表示装置がある。かかる液晶表示装置において、一方の液晶表示パネルに欠陥画素が生じたとき、他方の液晶表示パネルの欠陥画素に対応する画素に、欠陥画素の直線偏光を透過させないように駆動電圧を印加させ、欠陥画素を目立たなくする技術が開示されている（例えば、以下の特許文献１）。
【特許文献１】特開平７−２６１７０７号公報
【発明の開示】
【発明が解決しようとする課題】
【０００３】
しかしながら、一方の液晶表示パネル全部の画素が表示不能となったとき、他方の液晶表示パネルのみで画像を表示することになり、表示される画像は不十分なものとなる。
【０００４】
すなわち，上記特許文献１には，一方の液晶表示パネルにおける欠陥画素を目立たなくするために，他方の液晶表示パネルでこれを覆うという技術しか示唆されていない。
【０００５】
そこで、本発明は上記問題点に鑑みてなされたもので、その目的は、一方の表示パネルから映像を表示することができなくなっても、かかる表示できない映像をも他方の表示パネルで表示することのできる表示装置を提供することにある。
【課題を解決するための手段】
【０００６】
上記目的を達成するために本発明は、少なくとも第１及び第２の表示パネルを互いに重ね合わせ、前記第１の表示パネルから第１の映像と第２の映像とを表示して重畳映像を表示するようにした表示装置において、前記第１の表示パネルから前記第１の映像を表示することができないとき、前記第２の表示パネルから前記第２の映像とともに前記第１の映像を表示させる表示制御手段、を備えることを特徴とする。
【０００７】
また、本発明は前記表示装置において、前記表示制御手段は、前記第２の映像と前記第１の映像とを合成する合成手段を含み、前記表示制御手段は、前記第１の表示パネルから前記第１の映像を表示することができないとき、前記合成手段から出力された映像を前記第２の表示パネルに表示させることを特徴とする。
【０００８】
更に、本発明は前記表示装置において、前記表示制御手段は、前記重畳映像を前記第１の映像と前記第２の映像に分離する分離手段を含み、前記表示制御手段は、前記第１の表示パネルから前記第１の映像を表示することができないとき、前記分離手段から前記第１の映像と前記第２の映像とに分離させずに前記重畳映像を出力させ、前記重畳映像を前記第２の表示パネルから表示させることを特徴とする。
【０００９】
更に、本発明は前記表示装置において、前記表示制御手段は、前記第１及び第２の表示パネル各々に設けられ前記各表示パネルの走査線を駆動する走査線駆動回路の動作状態を検出する検出手段を含み、前記表示制御手段は、前記検出手段により前記第１の表示パネルの前記走査線駆動回路が正常に動作していないことを検出したとき、前記第１の表示パネルは前記第１の映像を表示することができないと判断して前記第２の表示パネルから前記第２の映像とともに前記第１の映像を表示させることを特徴とする。
【００１０】
更に、本発明は前記表示装置において、前記検出手段は、前記第１の表示パネルの前記走査線駆動回路に電源を供給する電源回路の動作状態も検出し、前記表示制御手段は、前記検出手段により前記第１の表示パネルの前記走査線駆動回路が正常に動作していないことを検出し、かつ、前記電源回路が動作していることを検出したときに、前記第１の表示パネルは前記第１の映像を表示することができないと判断して前記第２の表示パネルから前記第２の映像とともに前記第１の映像を表示させることを特徴とする。
【００１１】
更に、本発明は前記表示装置において、前記第１及び第２の表示パネルは各々液晶が封入された透明板から構成され、更に、前記透明板を照明するためのバックライトと、前記透明板に対する前記バックライトからの光の入出力を制御する偏光板とを備えることを特徴とする。
【発明の効果】
【００１２】
本発明によれば、一方の表示パネルから映像を表示することができなくなっても、他方の表示パネルにより全ての画像を表示することのできる表示装置を提供することができる。
【発明を実施するための最良の形態】
【００１３】
本発明を実施するための最良の形態について、以下図面を参照しながら説明する。図１は本発明にかかる多重液晶表示装置（以下、「表示装置」）１の構成例を示す図である。
【００１４】
表示装置は、蛍光管１０と、導光板１１と、反射板１２と、２枚の偏光板１３、１６と、リアＬＣＤ（Liquid Crystal Display）１４、及びフロントＬＣＤ１５とから構成される。
【００１５】
蛍光管１０は、表示装置１の側面に配置される。本表示装置１では２本の蛍光管１０が互いに略平行に配置される。
【００１６】
導光板１１は、２本の蛍光管１０の間に配置され、蛍光管１０から線発光された光をＬＣＤ１４、１５側に面発光し、ＬＣＤ１４、１５全体を均一に照射する。
【００１７】
反射板１２は、導光板１１の下部に位置する。蛍光管１０からの光は導光板１１によりＬＣＤ１４、１５に向かうが、その一部は反射されて反射板１２に向かう。反射板１２はその導光板１１からの光をＬＣＤ１４、１５側に反射する。
【００１８】
尚、蛍光管１０、導光板１１、及び反射板１２により、いわゆるバックライトが構成される。
【００１９】
偏光板１３と偏光板１６は、ＬＣＤ１４、１５を挟みこむように配置され、偏光方向を互いに直交させる。ＬＣＤ１４、１５への光の入力と出力とを制御するためである。偏光板１３は導光板１１側に、偏光板１６は視点位置側に配置される。
【００２０】
リアＬＣＤ１４は、偏光板１３側に配置され、各々液晶が封入された２枚の透明板により構成される。各透明板内には液晶分子が互いに略直行するように配列している。
【００２１】
フロントＬＣＤ１５は、偏光板１６側に配置され、リアＬＣＤ１４と同様に２枚の透明板による構成される。
【００２２】
このように２枚の透明板により１組のＬＣＤ１４、１５が構成され、蛍光管１０等のバックライトにより各ＬＣＤ１４、１５を照射して夫々に映像を表示させる。視点位置からは、１つの映像を見ることができる。
【００２３】
図２に表示例を示す。リアＬＣＤ１４により背景の映像が表示され、フロントＬＣＤ１５により車両の映像が表示される。別々のＬＣＤにより映像が表示されるため、全体として立体感のある映像が表示される。
【００２４】
図３は、表示装置１の電気的な構成図の一例である。全体として、表示装置１は、リア表示部１４０、フロント表示部１５０と、リア表示制御部２４と、フロント表示制御部２５、及びＣＰＵ３０から構成される。
【００２５】
フロント表示部１５０は、フロント表示パネル１５１と、走査線駆動回路１５２と、データ線駆動回路１５３を有する。
【００２６】
フロント表示パネル１５１は、フロントＬＣＤ１５の液晶層に電圧を印加する画素電極と画素電極をスイッチングするＴＦＴ（Thin Film Transistor）素子とを内部に有する。
【００２７】
走査線駆動回路１５２は、タイミングコントローラ２５３からの走査線駆動制御信号ｄ１に基づいて、フロント表示パネル１５１内のＴＦＴ素子を選択走査する。
【００２８】
また、データ線駆動回路１５３は、タイミングコントローラ２５３からのデータ線駆動制御信号ｄ２に基づいて、フロント表示パネル１５１内の画素電極を制御する。
【００２９】
尚、リア表示部１４０もフロント表示部１５０と同一構成である。図３には、説明の便宜のため、リア表示部１４０内の構成の一部が省略されている。
【００３０】
フロント表示制御部２５は、フロント表示部１５０に接続されるともに、ＣＰＵ３０にも接続される。フロント表示制御部２５は、電源回路２５１と、描画回路２５２と、タイミングコントローラ２５３とを有する。尚、リア表示制御部２４もフロント表示制御部２５と同一構成である。説明の便宜のため、図３では一部省略されている。
【００３１】
電源回路２５１は、走査線駆動回路１５２に電源を供給する。
【００３２】
描画回路２５２は、外部からフロントＬＣＤ１５に表示される映像に対応する映像信号が入力され、ＣＰＵ３０の制御に基づいて、当該映像信号をタイミングコントローラ２５３に出力する。また、描画回路２５２は、リア表示制御部２４の描画回路２４２にも接続される。
【００３３】
タイミングコントローラ２５３は、描画回路２５２からの映像信号等に基づいて走査線駆動回路１５２に走査線駆動制御信号ｄ１、データ線駆動回路１５３にデータ線駆動制御信号ｄ２を出力する。
【００３４】
検出回路２５４は、電源回路２５１と走査線駆動回路１５２、及び描画回路２５２と接続される。検出回路２５４には、電源回路２５１からの電源電圧が入力され、走査線駆動回路１５２に対する電源のオン、オフ状態を監視する。また、走査線駆動回路１５２からは、当該回路１５２が正常に動作しているか否かの状態を示す出力信号ｄ３が入力される。
【００３５】
検出回路２５４は、電圧の状態と出力信号ｄ３とから、フロント表示パネル１５１が表示不可の状態か否かを検出する。検出回路２５４は、描画回路２５２にその検出結果を示す検出信号ｄ４を出力する。
【００３６】
次に、このように構成された表示装置１の本発明に係る動作を説明する。描画回路２５２に入力された映像信号は、描画回路２５２を介してタイミングコントローラ２５３に入力する。タイミングコントローラ２５３では、当該映像信号に基づき、走査線駆動回路１５２に走査開始を示す走査線駆動制御信号ｄ１を出力する。その例を図４（Ａ）に示す。この制御信号ｄ１は、例えば、映像の１フレーム期間ごとに出力される。
【００３７】
そして、制御信号ｄ１を受けた走査線駆動回路１５２では、各走査線を走査するためのタイミング信号を生成する。その例を図４（Ｂ）に示す。例えば、走査開始を示す走査線駆動制御信号ｄ１の立ち上がり後に立ち下がるように１クロック分の信号を生成し、これを複数回繰り返すことでタイミング信号全体が生成される。このタイミング信号の立ち下がりから次の周期の立ち下がりまでが、１走査線分の駆動信号となる。この駆動信号により、１走査線のＴＦＴ素子全部が走査される。
【００３８】
具体的には、図４（Ｃ）に示すように、タイミング信号の最初の周期で１番目の走査線Ｌ１を駆動するための駆動信号が生成される。タイミング信号の２番目の周期で２番目の走査線Ｌ２、３番目の周期で３番目の走査線Ｌ３、と順次各走査線Ｌ２、Ｌ３、・・・を駆動するための駆動信号が生成される。生成された駆動信号は、各走査線Ｌ１、Ｌ２、Ｌ３、・・・に順次出力され、各走査線Ｌ１、Ｌ２、Ｌ３、・・・は駆動信号が入力されるタイミングで駆動される。
【００３９】
しかし、タイミングコントローラ２５３と走査線駆動回路１５２との間の制御線で断線等が生じた場合、走査線駆動回路１５２では走査線駆動制御信号ｄ１が入力されないため、タイミング信号が生成されず、各走査線を駆動させるための駆動信号を出力できない。
【００４０】
或いは、何らかの原因により走査線駆動制御信号ｄ１が入力されてもタイミング信号が生成されずに駆動信号を出力できない場合もある。
【００４１】
各走査線を駆動させるための駆動信号が出力されないと、フロントＬＣＤ１５は映像を表示することができない状態となる。
【００４２】
図５は、かかる状態のとき、フロントＬＣＤ１５とリアＬＣＤ１４に夫々表示される画像の例を示す。フロントＬＣＤ１５は、表示不可の状態のため、図５（Ａ）に示すように、車両の映像は表示されず真っ白な画面が表示される。一方、リアＬＣＤ１４は表示可の状態のため、図５（Ｂ）に示すように、背景の映像が正常に表示される。
【００４３】
走査線駆動回路１５２は、フロントＬＣＤ１５がかかる状態となったとき、表示不可の状態を示す出力信号ｄ３を出力する。
【００４４】
検出回路２５４は、かかる状態を示す出力信号ｄ３が入力され、かつ、電源回路２５１の電源がオンの状態を検出したとき、フロントＬＣＤ１５（又はフロント表示パネル１５１）は表示不可であることを示す検出信号ｄ４を描画回路２５２に出力する。
【００４５】
描画回路２５２は、検出信号ｄ４を受けたとき、入力された映像信号をタイミングコントローラ２５３ではなく、リア表示制御部２４の描画回路２４２に出力する。描画回路２４２では、リア用の映像信号と描画回路２５２からのフロント用の映像信号とを合成して、１つの映像としてタイミングコントローラ２４３に出力する。そして、タイミングコントローラ２４３はリア表示部１４０内の走査線駆動回路やデータ線駆動回路に各制御信号を出力して、リアＬＣＤ１４から合成された１つの映像が表示される。
【００４６】
図６は、その表示例である。フロントＬＣＤ１５は表示不可の状態のため車両の映像は表示されないものの（図６（Ａ）参照）、当該車両の映像は背景の映像と合成されて、リアＬＣＤ１４から表示される（図６（Ｂ）参照）。
【００４７】
従って、フロントＬＣＤ１５（或いはフロント表示パネル１５１）から映像を表示することができなくても、もう一方のリアＬＣＤ１４（或いはリア表示パネル１４１）から全ての映像を表示することができ、視点位置から全体の映像を見ることができる。
【００４８】
上述の例では、フロントＬＣＤ１５が表示不可の状態として説明したが、勿論、リアＬＣＤ１４が表示不可の場合でも全く同様に動作することができる。
【００４９】
即ち、リア表示制御部２４内の検出回路２４４には、リア表示部１４０の走査線駆動回路に電源を供給する電源回路から電源が供給されることで、電源回路の状態を監視する。また、リア表示部１４０の走査線駆動回路の状態を示す制御信号も供給され、当該走査線駆動回路が正常に動作しているか否かを監視する。これら２つの状態を監視して、電源が投入されているにも拘わらず、走査線駆動回路が正常に動作していないと、検出回路２４４は、リアＬＣＤ１４（又はリア表示パネル１４１）は表示不可であることを示す制御信号を描画回路２４２に出力する。描画回路２４２は入力されたリア用映像信号を、フロント表示制御部２５の描画回路２５２に出力して、１つの映像信号に合成される。そして、合成された映像がフロントＬＣＤ１５から表示される。
【００５０】
この場合も、リアＬＣＤ１４（或いはリア表示パネル１４１）から映像が表示できなくても、もう一方のフロントＬＣＤ１５（或いはフロント表示パネル１５１）から全ての映像を表示させることができ、視点位置から全体の映像を見ることができる。
【００５１】
また、上述の例では、２つの描画回路２５２、２４２に、フロント用とリア用の各映像が入力されるものとして説明した。それ以外にも、例えば、フロント表示制御部２５の描画回路２５２において、１つの映像信号が入力されて、フロント用の映像信号とリア用の映像信号の２つの映像信号に分離するようにしてもよい。
【００５２】
電源が投入され、正常に動作しているときは、描画回路２５２は映像信号を２つに分離する。一方、ＬＣＤ１４（或いは表示パネル１４１）が表示不可のとき検出回路２５４から検出信号ｄ４が出力されるが、描画回路２５２では、この検出信号ｄ４を受けたとき、分離することを止め分離しない１つの映像信号を描画回路２４２に出力する。これにより、リアＬＣＤ１４から映像全体が表示されることになる。この場合でも上述した例と全く同様の作用効果を奏する。勿論、描画回路２４２に映像信号を分離する機能を持たせるようにしてもよい。
【００５３】
更に、上述の例では、検出回路２５４は電源回路２５１と走査線駆動回路１５２の２つの状態を監視してフロント用ＬＣＤ１５（又はフロント表示パネル１５１）が表示不可の状態か否かを検出した。それ以外にも、検出回路２５４は、走査線駆動回路１５２の状態のみを監視してフロント用ＬＣＤ１５の状態を検出するようにしてもよい。例えば、走査線駆動回路１５２から正常に動作していないことを示す出力信号ｄ３が入力されたときに、表示不可の状態を示す検出信号ｄ４を出力してもよい。この場合でも上述の例と同様の作用効果を奏する。
【００５４】
更に、上述の例では、２つのＬＣＤ１４、１５により表示装置１が構成される例について説明したが、例えば、リアＬＣＤ１４をＥＬ（electro-luminescence）により構成してもよい。フロントＬＣＤ１５が表示不可のとき、上述した例に従って、ＥＬにより構成された表示パネルから全体の映像を表示させるようにすればよい。この場合でも、同様の作用効果を奏する。
【００５５】
更に、上述の例では、２枚の透明板を１組にした２組のＬＣＤ１４、１５により表示装置１を構成した。これ以外にも、３組、４組等、３組以上の複数組のＬＣＤ等により表示装置１を構成するようにしてもよい。少なくとも２組の表示パネル（又はＬＣＤ）のうち、一方が表示不可の状態となれば、他方の表示パネルに表示できない映像を合わせて表示させれば、少なくとも２組の表示パネルに表示されるべき映像は、他方の表示パネルから表示されるため、上述の例と同様の作用効果を奏する。
【００５６】
尚、本発明に係る表示装置１は、例えば、カーナビゲーション装置や携帯電話機などに利用される。また，本発明を適用して，ドットでの表示異常時における画素単位や，複数画素を含む領域での表示が出来ない映像を他方の表示パネルに表示することにより，対応することが可能である。
【図面の簡単な説明】
【００５７】
【図１】本発明に係る表示装置の構成例を示す図である。
【図２】表示装置によって表示される画面表示例を示す図である。
【図３】本発明に係る表示装置の電気的な構成例を示す図である。
【図４】図４（Ａ）は走査線駆動制御信号ｄ１の例を示し、図４（Ｂ）は走査線駆動回路で生成されるタイミング信号の例を示し、図４（Ｃ）は走査線駆動信号の例を示す図である。
【図５】図５（Ａ）はフロントＬＣＤに表示される画像例を示し、図５（Ｂ）はリアＬＣＤに表示される画像例を示す。
【図６】図６（Ａ）はフロントＬＣＤに表示される画像例を示し、図６（Ｂ）はリアＬＣＤに表示される画像例を示す。
【符号の説明】
【００５８】
１：多重液晶表示装置（表示装置）、１３：偏光板、１４：リアＬＣＤ、１５：フロントＬＣＤ、１６：偏光板、２４：リア表示制御部、２５：フロント表示制御部、３０：ＣＰＵ、１４０：リア表示部、１４１：リア表示パネル、１５０：フロント表示部、１５１：フロント表示パネル、１５２：走査線駆動回路、１５３：データ線駆動回路、２４２：描画回路、２４３：タイミングコントローラ、２５１：電源回路、２５２：描画回路、２５３：タイミングコントローラ、ｄ１：走査線駆動制御信号、ｄ２：データ線駆動制御信号、ｄ３：出力信号、ｄ４：検出信号
【図１】
2007108321.tif 000003
【図２】
2007108321.tif 000004
【図３】
2007108321.tif 000005
【図４】
2007108321.tif 000006
【図５】
2007108321.tif 000007
【図６】
2007108321.tif 000008